(57)【特許請求の範囲】
【請求項１】
エスカレータの新設・改修工事などのときに当該エスカレータの周囲を養生する養生装置において、
エスカレータ上下乗降部を周囲から間仕切りするエスカレータ乗降部幅に応じて幅調整可能な養生扉と、
前記エスカレータの両側面に適宜な間隔をもって設置される伸縮可能な支持柱と、
前記エスカレータ上下乗降部の養生扉および各支持柱に固定されるワイヤと、
前記エスカレータ両側面を覆うように前記ワイヤに吊下される中間囲い体と
を備えたことを特徴とする養生装置。
【請求項２】
前記養生扉は、扉正面側両端部に配置される正面パネルと扉正面側中央部に配置される扉パネルとの間に着脱自在に調整パネルを介在することを特徴とする請求項１記載の養生装置。
【請求項３】
前記養生扉は、レールクリップおよびスタッドの何れか一方または両方を備えた専用治具を用い、当該レールクリップ，スタッドにより既設のエスカレータトラスに固定することを特徴とする請求項１記載の養生装置。
【請求項４】
前記支持柱は、前記エスカレータの外側支持壁に面接触可能な板体上に突設され、上下方向に複数の第１の貫通孔が形成された柱基礎部と、この柱基礎部に伸縮自在に嵌合され、複数の第２の貫通孔が形成された柱状部材と、この柱状部材を適宜高さに伸縮し、前記第１および第２の貫通孔を通して前記柱基礎部に前記柱状部材を固定する取付固定部材とを備えたことを特徴とする請求項１記載の養生装置。
【請求項５】
前記中間囲い体は、適宜な長さの単位シートの両端部に結合部材が設けられ、前記エスカレータの階高に応じて必要枚数の前記単位シートを前記結合部材を介して順次結合することを特徴とする請求項１記載の養生装置。
【発明の詳細な説明】
【０００１】
【発明の属する技術分野】
本発明は、エレベータ，エスカレータ等昇降機の改修工事などに利用される養生装置に関する。
【０００２】
【従来の技術】
客先のニーズの多様化に伴い、建物内店舗の営業時間中であっても、建物内に設置されるエレベータ，エスカレータ等の昇降機（以下，説明の便宜上,専らエスカレータについて説明するが、エレベータも含むものである）の改修工事が求められるようになり、その結果、一般利用者の安全を確保する観点からエスカレータの周囲に養生を設ける必要が出てきた。
【０００３】
従来、エスカレータの周囲に設置する養生は、図１３に示すように、周辺の建屋状況を含むエスカレータ１０１の全体寸法を測定した後、その測定寸法に合わせて形状，サイズ等について詳細に設計し、ベニヤ板１０２などを設計内容に従って所要の形状,サイズとなるように製作し、この製作された各ベニヤ板１０２を現地に運搬し、組み立てていくといった方法をとっている。１０３は防火シャッターである。
【０００４】
ところで、各エスカレータは、1台ごとに機種、階、建屋などの取り合いが異なることから、エスカレータごとに個別に養生の設計を行い、さらに設計内容に従って種々の形状,サイズのベニヤ板１０２などを製作し、しかも現地に出向いて設計内容に従って組立て作業を実施するのが一般的である。
【０００５】
【発明が解決しようとする課題】
従って、以上のようなエスカレータの養生は、エスカレータの改修工事ごとに測定寸法に合わせて設計し、製作し、設置する手順をとることから、養生の設計、製作、設置に多くの時間がかかり、工事の終了後には他のエスカレータに使用できずに全て廃棄するので、コストの面から大きな負担となっている。
【０００７】
本発明は上記事情に鑑みてなされたもので、エスカレータの機種、形式、寸法等に左右されずに繰り返し利用可能とし、改修工事の時間短縮、コストの低減化および産業廃棄物の低減化を実現する養生装置を提供することにある。
【００１２】
【課題を解決するための手段】
上記課題を解決するために、本発明に係わる養生装置は、エスカレータ上下乗降部を周囲から間仕切りするエスカレータ乗降部幅に応じて幅調整可能な養生扉と、前記エスカレータの両側面に適宜な間隔をもって設置される伸縮可能な支持柱と、前記エスカレータ上下乗降部の養生扉および各支持柱に固定されるワイヤと、前記エスカレータ両側面を覆うように前記ワイヤに吊下される中間囲い体とを備えた構成である。
【００１３】
本発明は以上のような構成とすることにより、エスカレータの上下乗降部にそれぞれエスカレータ乗降部幅に応じて幅調整可能な養生扉を設置し、さらにエスカレータの両側面に適宜な間隔をもって伸縮可能な支持柱を設置し、その後、エスカレータの乗降部の養生扉および各支持柱にワイヤを固定し、このワイヤに中間囲い体を固定するので、エスカレータの養生を迅速に行うことが可能であり、しかも容易に組立・分解できることから、エスカレータの機種、形式、寸法等に左右されずに繰り返し利用可能であり、改修工事の時間短縮、コストの低減化および産業廃棄物の低減化に貢献する。
【００１４】
【発明の実施の形態】
以下、本発明の実施の形態について図面を参照して説明する。
【００１５】
図１は本発明に係る養生装置とエスカレータとの関係を示す概略側面図である。
【００１６】
このエスカレータの養生装置は、昇降機である例えばエスカレータ１の周囲を囲むことにより、改修工事を行う工事区域と一般第３者の通行区域とを分離し、作業の円滑化および通行人の安全を確保するものであって、具体的には、エスカレータ上下乗降部を周囲から間仕切りする養生扉２と、エスカレータ両側欄干を少なくとも外側から支持する支持壁３上に所要の間隔をもって設置される支持柱４，…と、エスカレータ左側支持柱４，…およびエスカレータ右側支持柱４，…ごとにそれぞれ各支持柱４の動きを封じるように固定されるワイヤ５と、エスカレータ上下乗降部に設置される養生扉２に両端部側を支持し、かつ、支持柱３に上端部側を固定することにより、少なくともエスカレータ１の両側面を囲う中間囲い体６とによって構成されている。７は防火シャッターである。
【００１７】
なお、養生扉２は、鍵付きとするとともに、軽量化を重視する場合には例えばプラスチック材料などが用いられ、防火区域内に設置される場合には防火の観点から例えば鋼製の材料が用いられる。
【００１８】
また、中間囲い体６は、エスカレータ１の両側面を囲うだけでなく、エスカレータ１の上部側を囲うようにしてもよく、また好ましくは防火の観点から難燃性の材料で構成するのが望ましい。
【００１９】
従って、以上のような実施の形態によれば、エスカレータ上下乗降部の養生扉２を出入り口とし、エスカレータ１の両側面に立てられた支持柱４，…を介してエスカレータ１の両側面を中間覆い体６で覆う構成としたので、工事区域と通行区域とを完全に分離でき、しかも養生扉２の鍵を除けば開口部分が存在しないので、第３者が工事区域に過って侵入することを防ぐことができ、通行人の安全を確保できる。
【００２０】
また、エスカレータ１の上下乗降部にそれぞれ養生扉２を設置し、さらにエスカレータ１の両側面に適宜な間隔をもって支持柱４を設置し、さらに養生扉２および各支持柱４にワイヤ５を固定し、このワイヤ５に中間覆い体６を固定するので、エスカレータ１の養生を迅速に行うことが可能であり、組立・分解が容易に行えることから、エスカレータ１の機種、形式、寸法等に左右されずに繰り返し利用可能であり、エスカレータ１の新設，改修工事の時間短縮、コストの低減化および産業廃棄物の低減化にも大きく貢献できる。
【００２１】
次に、本発明に係わる昇降機用養生扉２の一実施の形態について図２を参照して説明する。同図は昇降機用養生扉の外観斜視図である。
【００２２】
この養生扉２は、扉正面両端部側にそれぞれ縦方向に配列される固定サイズの正面パネル２ａと、扉正面中央部側にそれぞれ縦方向に配列され、内側に開く固定サイズの扉パネル２ｂと、これら正面パネル２ａと扉パネル２ｂとの間に介在される調整パネル２ｃと、扉両側面側に配列される側面パネル２ｄと、正面パネル２ａ、調整パネル２ｃおよび側面パネル２ｄのうち、少なくとも正面パネル２ａと側面パネル２ｄの差込みを可能にする差込み溝が形成されている養生扉ベース２ｅと、屋根パネル２ｆ，２ｆ′とによって構成されている。
【００２３】
図３および図４は上部から養生扉を見た図であり、更に詳しくは養生扉ベース２ｅと正面パネル２ａ，側面パネル２ｄとの関係を説明する図である。但し、図３はエスカレータ等の間口が狭く調整パネル２ｃを不要とした例であり、図４はエスカレータ等の間口が広いために調整パネル２ｃを介在させた例である。
【００２４】
すなわち、養生扉ベース２ｅは、図３，図４に示すごとくほぼ直交する２方向にそれぞれ差込み溝２ｇが形成され、そのうち側面方向に向く差込み溝２ｇに正面パネル２ａ、また背面方向に向く差込み溝２ｇに側面パネル２ｄをそれぞれ差込むことにより、正面パネル２ａ、側面パネル２ｄを支持する構成となっている。
【００２５】
さらに、養生扉ベース２ｅの内側は、図５に示すように構成されている。図５は上部から養生扉のコーナ部分を見た図であって、具体的には養生扉ベース２ｅの内側にはファスナ２ｈおよび爪２ｉが取付けられ、それぞれ差込み溝２ｇに差し込まれる正面パネル２ａおよび側面パネル２ｄの内側に形成される切欠き部２ｊに対し、前記爪２ｉを引っかけることにより、養生扉ベース２ｅに正面パネル２ａ、側面パネル２ｄを固定する。つまり、正面パネル２ａ、側面パネル２ｄは、養生扉ベース２ｅの差込み溝２ｇに差込むことおよび各ファスナ２ｈに付設される爪２ｉを正面パネル２ａ、側面パネル２ｄ内側の切欠き部２ｊに係合させることにより、正面パネル２ａ、側面パネル２ｄが養生扉ベース２ｅから外れることなく、確実に固定できるものである。
【００２６】
また、両端部側の正面パネル２ａと調整パネル２ｃ、この調整パネル２ｃと扉パネル２ｂとはそれぞれ蝶番２ｋを介して抜き差し可能に取着され、エスカレータの上下乗降部幅の大きさに応じて例えば図３に示すごとく調整パネル２ｃ無しの状態或いは図４に示すごとく正面パネル２ａと扉パネル２ｂとの間に１枚以上の調整パネル２ｃを介在することにより、養生扉２の正面幅を任意に広げることが可能であり、また各パネル２ａ〜２ｄが抜き差し可能になっているので、組立および分解が非常に容易である。
【００２７】
図６ないし図８は養生扉２における屋根部の構成を示す図であって、そのうち、図６は養生扉内側から屋根部下面を見たときの屋根幅調整機構が付された屋根下面図、図７は養生扉内側から屋根部下面を見たときの屋根幅調整機構が付された図６に示す屋根部下面の状態から屋根幅を広げたときの屋根部下面図、図８は屋根幅調整機構のうち特にパイプ固定部の断面を示す図である。
【００２８】
この屋根部の調整機構は、両側面パネル２ｄ，２ｄ側からそれぞれ延在されてその突き合わせ端部側が上下方向で一部重なり合うように掛け渡されている屋根パネル２ｆ，２ｆ′と、この屋根パネル２ｆ，２ｆ′のうち、下側屋根パネル２ｆ′の下面奥行方向に所定の間隔をもって並行に固定されたパイプ支持体２ｌ′および上側屋根パネル２ｆの下面の比較的端部側奥行方向に固定された前記パイプ支持体２ｌ′と並行に配置されるパイプ支持体２ｌと、各パイプ支持体２ｌ′，２ｌ群のほぼ中央部分に位置して下側屋根パネル２ｌ′側の奥行方向に取付けられたパイプ固定部２ｍ，２ｍ′と、各パイプ支持体２ｌ′，２ｌ群に跨るように遊動貫通され、それぞれ一端部側がパイプ支持体２ｌ′，２ｌに固定されているパイプ２ｎとが設けられている。２ｏはボルトである。
【００２９】
因みに、図６に示す状態から図７に示すように屋根部を広げる場合、図８に示すパイプ固定部２ｍ，２ｍ′に取付けられているボルト２ｏを緩め、屋根パネル２ｆ′に設けられている挿入溝に養生扉２両側の側面パネル２ｄが差込めるまで屋根パネル２ｆ，２ｆ′を広げた後、屋根パネル２ｆ，２ｆ′に側面パネル２ｄを差込み、パイプ固定部２ｍ，２ｍ′のボルト２ｏを締め付ければ、屋根幅を広げることが可能となる。
【００３０】
従って、以上のように屋根パネル２ｆ，２ｆ′に所定の間隔をもって並行に配列されたパイプ支持体２ｌ，２ｌ′に一端固定、かつ、他端遊動状態とするパイプ２ｎを挿通し、さらにパイプ支持体２ｌ，２ｌ群の中間部分に位置させてパイプ固定部２ｍ，２ｍ′を設け、屋根部を広げたり、狭くするとき、パイプ固定部２ｍ，２ｍ′に螺合されているボルト２ｏを緩めた後、パイプ支持体２ｌ，２ｌ群のガイドに沿ってパイプ２ｏを摺動させつつ屋根パネル２ｆ，２ｆ′の重なり部分を調整する屋根幅調整機構を設けたことにより、形式、機種に左右されずにエスカレータの幅の違いに十分対応することが可能であり、各エスカレータごとに養生を設計、製作する時間とコストを削減することが可能である。
【００３１】
なお、上記実施の形態では、屋根部に屋根パネル２ｆ，２ｆ′を用いた例を説明したが、この屋根パネル２ｆ，２ｆ′を使用せずに、図９に示すように複数のネジ穴２ｐが形成されたパイプ２ｑと長孔２ｒが形成されたパイプ２ｓとを嵌合させた状態で各側面パネル２ｄ上に掛け渡し、ボルト２ｔを緩めた後、扉正面幅の大きさに応じて適宜なネジ穴２ｐを選択し、長孔２ｒを介してボルト２ｔを選択ネジ穴２ｐにネジ止めすれば、屋根幅を調整できる。なお、パイプ２ｑとパイプ２ｓとを１対とし、１対以上のパイプ２ｑ−２ｓを用いて屋根幅調整機構を構成する。
【００３２】
このような実施の形態によれば、ネジ穴２ｐを選択することにより、形式、機種によるエスカレータの幅の違いに対応でき、また屋根パネル２ｆ，２ｆ′を用いたものに比べて材料の節減、運搬スペースの縮小化を実現できる。
【００３３】
図１０は既設エスカレータトラスに養生扉２を据え付け固定する例を説明する図である。
【００３４】
同図において１１はエスカレータ上下乗降部分に敷設される踏板下側に設置されている既設のエスカレータトラスであって、このエスカレータトラス１１上端のＬ字部材の平行部分に養生扉固定専用治具１２を取り付け、この養生扉固定専用治具１２を介して養生扉２の養生扉ベース２ｅをエスカレータトラス１１に固定する。具体的には、既設エスカレータトラス１１のＬ字部材の平行部分と専用治具１２の下部Ｌ字部材の平行部分とを重ね合わせ、専用治具側のエレベータ用レールクリップ１２ａを用いて既設エスカレータトラス１１に挟み込み、ナット１２ｂを締め付けることにより、既設エスカレータトラス１１に養生扉固定専用治具１２を取り付け固定する。
【００３５】
次に、養生扉固定専用治具１２にスタッド状に取付けられた養生扉固定ボルト１２ｃとナット１２ｄとの間に養生扉２の養生扉ベース２ｃを挟み込み、ナット１２ｄを締め付けることにより、養生扉固定専用治具１２に養生扉２を取り付け固定する。
【００３６】
以上のような手段を用いて養生扉２を据え付け固定することにより、エスカレータの機種などに左右されずに養生扉２の据え付けが可能となり、しかも既設エスカレータトラス１１や養生扉２に穴開けなどの追加加工を行うことなく養生扉２を固定でき、作業時間の短縮化を図ることができる。なお、予め養生扉ベース２ｅに固定ボルト１２ｃを挿通する孔を設けてもよい。また、養生扉固定専用治具１２にエレベータ用レールクリップ１２ａおよびスタッド状の固定ボルト１２ｃを設けたが、エレベータ用レールクリップ１２ａのみ、或いはスタッド状の固定ボルト１２ｃのみを用いて、既設エスカレータトラスに養生扉２を据え付け固定することもできる。
【００３７】
次に、図１１はエスカレータ１を外側から支持する支持壁３に設置される伸縮調整機構をもった支持柱４の構成を示す図である。なお、支持壁３はエスカレータ外側側面に設けられるエスカレータデッキやエスカレータ側面と建物壁との間に存在する傾斜部を含むものである。
【００３８】
この支持柱３は、縦方向ラインにそって複数の孔が貫通された筒状体４ａおよびこの筒状体４ａの底部に所定の傾斜角度をもって取付けられ支持壁３に面接触可能な例えば方形状の板体４ｂからなる柱基礎部４ｃと、縦方向ラインにそって複数の孔が貫通された筒状の柱上部４ｄと、縦方向ラインにそって複数の孔が貫通され前記柱基礎部４ｃの筒状体４ａと柱上部４ｄとに挿入される柱中間部４ｅと、支持柱４の高さ調整時に柱基礎部４ｃ側および柱上部４ｄ側の孔を適宜に選択し、柱基礎部４ｃの孔と柱中間部４ｅの孔、柱上部４ｄの孔と柱中間部４ｅの孔とにそれぞれ挿入し固定するボルト４ｆおよびナット４ｇとで構成されている。
【００３９】
支持柱４の高さを上下方向に調整する場合、柱基礎部４ｃおよび柱上部４ｄの何れか一方または両方に貫通固定されているボルト４ｆおよびナット４ｇを抜き取り、柱上部４ｄが所要の高さとなるように位置決めした後、柱基礎部４ｃと柱中間部４ｅとの間で一致する孔、柱上部４ｄと柱中間部４ｅとの間で一致する孔にボルト４ｆを挿入し反対側からナット４ｇで締め付けることにより、所要とする高さに設定できる。
【００４０】
従って、以上のような実施の形態によれば、伸縮調整機構をもった支持柱４を設けることにより、工事作業に必要な高さに自在に調整し設定することができる。
【００４１】
なお、支持柱４は、柱基礎部４ｃ、柱中間部４ｅおよび柱上部４ｄによって構成されているが、例えば柱基礎部４ｃの筒状体４ａを比較的長く形成すれば、柱基礎部４ｃおよび柱中間部４ｅだけで構成させても良い。また、柱基礎部４ｃの板体４ｂ底面は摩擦抵抗の大きな材料を用いるとか、或いは梨地状に形成するとか、或いは摩擦抵抗の大きい弾性部材を張り付けるなどすれば、より安定に支持壁３に設置できる。
【００４２】
前記ワイヤ６は、エスカレータ１の上側および下側の養生扉２，２と各支持柱４，…とに固定するが、このとき養生扉２および支持柱４の上部位置だけでなく、適宜な高さ位置例えば中間位置或いは比較的低い位置など、複数の高さ位置に固定すれば、各支持柱４，…が非常に安定な状態に設置することができる。
【００４３】
さらに、エスカレータ１が防火区画内に設置されている場合、防火シャッター７が整備されているので、エスカレータ側面またはエスカレータ側面と上部とを覆う中間囲い体６には防災シート６ａが使用される。
【００４４】
図１２は防災シート６ａの取付け例を説明する図である。
【００４５】
防災シート６ａは、その両端部がエスカレータ１の上下乗降部に設置される養生扉２，２に取付けられ、また各支持柱４，…およびワイヤ６を介してエスカレータ１の両側面および上部を覆うような構成となる。なお、非防災シート，つまり非防災用の一般的な中間囲い体６の場合、エスカレータ１の両側面だけに張設すればよく、この場合には中間囲い体の上端部は各支持柱４，…およびワイヤ６に取付けられる。
【００４６】
先ず、養生扉２に防災シート６を取付ける例について説明する。
【００４７】
各側面パネル２ｄの背面（養生扉背面相当面）上下方向に所定の間隔をもってネジ山を形成したスタッド２ｕが取付けられ、一方、防災シート６ａとしては、その両端上下方向に所要の間隔でハトメ６ｂが取付けられている。さらに、側面パネル２ｄのスタッド２ｕと同一ピッチの孔を形成したアングル６ｃを用意する。
【００４８】
以上のような状態において、側面パネル２ｄに付設されたスタッド２ｕに防災シート５ａのハトメ６ｂを通し、その上からアングル６ｄの孔を通すことにより、側面パネル２ｄとアングル６ｄとを用いて防災シート６ａを挟み込んだ後、各スタッド2ｕに対しナット６ｄを締め付けるようにすれば、隙間が生じることなく、養生扉２に防災シート６ａを取付けることができ、通行人が過って侵入するようなことがなくなり、通行人の安全性を確保できる。
【００４９】
また、各支持柱４，…およびワイヤ６に非防災シート等の中間囲い体６を取付ける場合、エスカレータ１の両側面を覆うことになるが、この場合の最も簡単な取付け方法は中間囲い体６の上端部に所定の距離ごとに爪を設け、各支持柱４，…やワイヤ６に引っかけて固定する。
【００５０】
さらに、防災シート６ａを含む中間囲い体６は、例えば一定長さの単位シート６ｅで構成し、これら単位シート６ｅの両端部にそれぞれチャック，ホックその他爪などの結合部材６ｆを取付け、必要な枚数の単位シート６ｅを使用し、結合部材６ｆを介して結合することにより、エスカレータ１の階高に応じた防災シート６ａを含む中間囲い体６を作成できる。
【００５１】
従って、以上のような実施の形態によれば、養生扉２への取付け部分を除いて所定の長さの単位シート６ｅを結合組立する構成とすることにより、防災シート６ａを含む中間囲い体６の保管管理、運搬等に便利であり、組立・分解が容易であり、またエスカレータの機種，形式に左右されずに利用することができる。
【００５２】
なお、本願発明は、上記実施の形態に限定されるものでなく、その要旨を逸脱しない範囲で種々変形して実施できる。また、各実施の形態は可能な限り組み合わせて実施することが可能であり、その場合には組み合わせによる効果が得られる。さらに、上記各実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【００５５】
【発明の効果】
以上説明したように本発明によれば、エスカレータの上下乗降部にそれぞれ養生扉を設置し、さらにエスカレータの両側面に適宜な間隔で支持柱を設置し、その後、エスカレータの乗降部の養生扉および各支持柱にワイヤを固定し、このワイヤに中間囲い体を吊下するので、迅速にエスカレータの養生を構築でき、組立・分解が容易であり、さらに繰り返し利用でき、エスカレータ改修工事の短縮化、コストおよび産業廃棄物の低減化に大きく貢献できる養生装置を提供できる。
【図面の簡単な説明】
【図１】本発明に係る養生装置の一実施の形態を示す側面図。
【図２】本発明に係わる昇降機用養生扉の一実施の形態を示す外観斜視図。
【図３】上部から養生扉内側を見たときの図であって、養生扉幅方向の調整機構を説明する図。
【図４】図３に示す調整機構を用いて養生扉を幅方向に広げたときの上部から養生扉内側を見たときの図。
【図５】養生扉ベースに対して正面パネルを固定する状態を説明する扉コーナ内側の部分図。
【図６】養生扉内側から屋根部を見たときの屋根部下面図。
【図７】図６の状態から屋根調整部材を用いて屋根部を広げたときの屋根部下面図。
【図８】屋根部に設けられた固定部の側断面図。
【図９】屋根調整部材の他の実施の形態を示す図。
【図１０】エスカレータトラスに専用治具を介して養生用扉を固定した図。
【図１１】エスカレータの両側面に設置する支持柱の構成図。
【図１２】中間囲い体の構成を示す図。
【図１３】従来の養生装置を説明する側面図。
【符号の説明】
１…エスカレータ
２…養生扉
４…支持柱
５…ワイヤ
６…中間囲い体
７…防火シャッター
２ａ…正面パネル
２ｂ…扉パネル
２ｃ…調整パネル
２ｄ…側面パネル
２ｆ，２ｆ'…屋根パネル
２ｇ…差込み溝
２ｈ…ファスナ
２ｉ…爪
２ｍ，２ｍ'…パイプ固定部
６ｆ…結合部材
１１…エスカレータトラス
１２…専用治具
【図１】
0004578650.tif 000002
【図２】
0004578650.tif 000003
【図３】
0004578650.tif 000004
【図４】
0004578650.tif 000005
【図５】
0004578650.tif 000006
【図６】
0004578650.tif 000007
【図７】
0004578650.tif 000008
【図８】
0004578650.tif 000009
【図９】
0004578650.tif 000010
【図１０】
0004578650.tif 000011
【図１１】
0004578650.tif 000012
【図１２】
0004578650.tif 000013
【図１３】
0004578650.tif 000014